(57)【要約】【課題】広角で、低温から高温までの幅広い温度領域において高い解像度を維持できる結像光学系を安価で提供する。【解決手段】この結像光学系は、物体側から順に、負の屈折力を有する第１レンズＬ11と、負の屈折力を有する第２レンズＬ12と、正の屈折力を有する第３レンズＬ13と、正の屈折力を有する第４レンズＬ14と、負の屈折力を有する第５レンズＬ15と、正の屈折力を有する第６レンズＬ16と、が配置されて構成される。第１レンズＬ11および第４レンズＬ14は、ガラスで形成されている。第２レンズＬ12、第３レンズＬ13、第５レンズＬ15、および第６レンズＬ16は、プラスチックで形成されている。そして、所定の条件を満足することにより、環境温度が著しく変化した場合でも高解像度を維持することができる。【選択図】図１
2015190999.tif 000002
【特許請求の範囲】
【請求項１】
物体側から順に配置された、負の屈折力を有する第１レンズと、負の屈折力を有する第２レンズと、正の屈折力を有する第３レンズと、正の屈折力を有する第４レンズと、負の屈折力を有する第５レンズと、正の屈折力を有する第６レンズと、からなり、
前記第１レンズおよび前記第４レンズはガラスで形成され、
前記第２レンズ、前記第３レンズ、前記第５レンズ、および前記第６レンズはプラスチックで形成されており、
以下に示す条件式を満足することを特徴とする結像光学系。
（１）  ０．５≦｜ｆ１３／Ｆ２｜≦２．４
（２）  １．２≦｜ν２４／ν２６｜≦２．４
ただし、ｆ１３は前記第３レンズの焦点距離、Ｆ２は前記第４レンズと前記第５レンズと前記第６レンズとの合成焦点距離、ν２４は前記第４レンズのｄ線に対するアッベ数、ν２６は前記第６レンズのｄ線に対するアッベ数を示す。
【請求項２】
以下に示す条件式を満足することを特徴とする請求項１に記載の結像光学系。
（３）  １．５≦｜ν２４／ν２３｜≦４．２
（４）  ０．９≦｜Ｆ１／ｆ１４｜≦４．７
ただし、ν２３は前記第３レンズのｄ線に対するアッベ数、Ｆ１は前記第１レンズと前記第２レンズと前記第３レンズとの合成焦点距離、ｆ１４は前記第４レンズの焦点距離を示す。
【請求項３】
以下に示す条件式を満足することを特徴とする請求項１または２に記載の結像光学系。
（５）  ０．７≦｜ｆ１１／ｆ１２｜≦５．６
（６）  ０．３≦｜ｆ１１／Ｆ２｜≦５．１
ただし、ｆ１１は前記第１レンズの焦点距離、ｆ１２は前記第２レンズの焦点距離を示す。
【発明の詳細な説明】
【技術分野】
【０００１】
本発明は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子が備えられた撮像装置に好適な、広角で、高解像度を有する結像光学系に関する。
【背景技術】
【０００２】
監視用カメラや車載用カメラでは、より広い範囲を撮影するために、広角の結像光学系が要求される。また、監視用カメラや車載用カメラは、搭載スペースが限られることが多いことなどから小型であることも要求され、それらに搭載される結像光学系もより小型であることが求められる。さらに、監視用カメラや車載用カメラは、夜間使用されることも多いため、明るい結像光学系が求められる。そこで、かかる要求に応えるべく、監視用カメラや車載用カメラに搭載可能な結像光学系が提案されている（たとえば、特許文献１〜３を参照。）。
【０００３】
特許文献１，２に開示された光学系は、６枚のレンズ構成でＦナンバーが２．０程度のものである。特許文献３に開示された光学系は、６枚のレンズ構成でＦナンバーが２.８程度のものである。
【先行技術文献】
【特許文献】
【０００４】
【特許文献１】特開２０１３−７３１５５号公報
【特許文献２】特開２０１０−２４３７０９号公報
【特許文献３】特開２００７−１６４０７９号公報
【発明の概要】
【発明が解決しようとする課題】
【０００５】
近年、監視用カメラや車載用カメラも低価格化が進み、それらに搭載される結像光学系においても安価なものが求められている。さらに、近年急激な固体撮影素子（ＣＣＤやＣＭＯＳ等）の高画素化が進んだことで、高画素の固体撮影素子に対応可能な高解像度の明るい結像光学系が要求されている。
【０００６】
さらに、監視用カメラは、気温の変化が大きい屋外に設置されること多い。また、車載用カメラは、特に夏季に高温になるおそれのある車内に設置される。そこで、監視用カメラや車載用カメラに搭載される結像光学系には、低温から高温までの幅広い温度領域において高解像度を維持できることが要求される。
【０００７】
引用文献１，２に開示された光学系は、Ｆナンバーが２．０、半画角が９５°程度であるため広角で明るい光学系ではあるが、ガラスレンズの使用枚数が多いため高価である。また、高画素の固体撮影素子が搭載された監視用カメラや車載用カメラに用いる場合には、諸収差の補正が不足し、高画質の画像を得ることは困難である。加えて、レンズ硝材の屈折率の温度係数が大きいため、高温時または低温時のレンズの屈折率変化が大きくなってフォーカスずれが顕著になり、高画質の画像を得ることが困難である。
【０００８】
引用文献３に開示された光学系は、Ｆナンバーが２．８、半画角が９０°程度であるため広角で明るい光学系ではあるが、ガラスレンズの使用枚数が多いため高価である。また、高画素の固体撮影素子が搭載された監視用カメラや車載用カメラに用いる場合には、諸収差の補正が不足し、高画質の画像を得ることは困難である。
【０００９】
本発明は、上述した従来技術による問題点を解消するため、広角で、低温から高温までの幅広い温度領域において高い解像度を維持できる結像光学系を安価で提供することを目的とする。加えて、小型の結像光学系を提供することを目的とする。
【課題を解決するための手段】
【００１０】
上述した課題を解決し、目的を達成するため、本発明にかかる結像光学系は、物体側から順に配置された、負の屈折力を有する第１レンズと、負の屈折力を有する第２レンズと、正の屈折力を有する第３レンズと、正の屈折力を有する第４レンズと、負の屈折力を有する第５レンズと、正の屈折力を有する第６レンズと、からなり、前記第１レンズおよび前記第４レンズはガラスで形成され、前記第２レンズ、前記第３レンズ、前記第５レンズ、および前記第６レンズはプラスチックで形成されており、以下に示す条件式を満足することを特徴とする。
（１）  ０．５≦｜ｆ１３／Ｆ２｜≦２．４
（２）  １．２≦｜ν２４／ν２６｜≦２．４
ただし、ｆ１３は前記第３レンズの焦点距離、Ｆ２は前記第４レンズと前記第５レンズと前記第６レンズとの合成焦点距離、ν２４は前記第４レンズのｄ線に対するアッベ数、ν２６は前記第６レンズのｄ線に対するアッベ数を示す。
【００１１】
本発明によれば、広角で、低温から高温までの幅広い温度領域において高い解像度を維持できる結像光学系を安価で提供することができる。
【００１２】
さらに、本発明にかかる結像光学系は、前記発明において、以下に示す条件式を満足することを特徴とする。
（３）  １．５≦｜ν２４／ν２３｜≦４．２
（４）  ０．９≦｜Ｆ１／ｆ１４｜≦４．７
ただし、ν２３は前記第３レンズのｄ線に対するアッベ数、Ｆ１は前記第１レンズと前記第２レンズと前記第３レンズとの合成焦点距離、ｆ１４は前記第４レンズの焦点距離を示す。
【００１３】
本発明によれば、小型、広角で、低温から高温までの幅広い温度領域において高い解像度を維持できる結像光学系を安価で提供することができる。
【００１４】
さらに、本発明にかかる結像光学系は、前記発明において、以下に示す条件式を満足することを特徴とする。
（５）  ０．７≦｜ｆ１１／ｆ１２｜≦５．６
（６）  ０．３≦｜ｆ１１／Ｆ２｜≦５．１
ただし、ｆ１１は前記第１レンズの焦点距離、ｆ１２は前記第２レンズの焦点距離を示す。
【００１５】
本発明によれば、小型、広角で、低温から高温までの幅広い温度領域において極めて高い解像度を維持できる結像光学系を安価で提供することができる。
【発明の効果】
【００１６】
本発明によれば、広角で、低温から高温までの幅広い温度領域において高い解像度を維持できる結像光学系を安価で提供することができるという効果を奏する。加えて、小型の結像光学系を提供することができる。
【図面の簡単な説明】
【００１７】
【図１】実施例１にかかる結像光学系の構成を示す光軸に沿う断面図である。
【図２】実施例１にかかる結像光学系の諸収差図である。
【図３】実施例２にかかる結像光学系の構成を示す光軸に沿う断面図である。
【図４】実施例２にかかる結像光学系の諸収差図である。
【図５】実施例３にかかる結像光学系の構成を示す光軸に沿う断面図である。
【図６】実施例３にかかる結像光学系の諸収差図である。
【図７】実施例４にかかる結像光学系の構成を示す光軸に沿う断面図である。
【図８】実施例４にかかる結像光学系の諸収差図である。
【図９】実施例５にかかる結像光学系の構成を示す光軸に沿う断面図である。
【図１０】実施例５にかかる結像光学系の諸収差図である。
【図１１】実施例６にかかる結像光学系の構成を示す光軸に沿う断面図である。
【図１２】実施例６にかかる結像光学系の諸収差図である。
【発明を実施するための形態】
【００１８】
以下、本発明にかかる結像光学系の好適な実施の形態を詳細に説明する。
【００１９】
本発明にかかる結像光学系は、物体側から順に配置された、負の屈折力を有する第１レンズと、負の屈折力を有する第２レンズと、正の屈折力を有する第３レンズと、正の屈折力を有する第４レンズと、負の屈折力を有する第５レンズと、正の屈折力を有する第６レンズと、からなる。
【００２０】
本発明にかかる結像光学系では、最物体側に配置された第１レンズと、第１レンズに続けて配置された第２レンズが共に負の屈折力を有することにより、監視用カメラや車載用カメラに要求される広角化の実現が容易になる。また、第３レンズが正の屈折力を有することで、倍率色収差を良好に補正することができる。第４レンズが正の屈折力を有することで、球面収差と軸上色収差を良好に補正することができる。負の屈折力を有する第５レンズと、正の屈折力を有する第６レンズとを隣接配置したことにより、色収差（倍率色収差、軸上色収差）を良好に補正することができる。
【００２１】
さらに、本発明にかかる結像光学系では、最物体側に配置される第１レンズをガラスで形成している。ガラスはプラスチックよりも温度変化に伴う屈折率変化が小さい。したがって、環境温度の変化による影響を受けやすい第１レンズをガラスで形成することで、環境温度の変化による解像度の低下を回避することができる。また、第４レンズをガラスで形成することで、効果的な色収差の補正が可能になるとともに、環境温度の変化によるフォーカスずれを抑制して高い解像度を維持することができる。なお、環境温度の変化による影響を受けにくい第２レンズ、第３レンズ、第５レンズ、および第６レンズをプラスチックで形成することにより、光学系の製造コストを抑えるとともに、光学系の軽量化が可能になる。
【００２２】
本発明は、広角で、低温から高温までの幅広い温度領域において高い解像度を維持できる結像光学系を安価で提供することを目的としている。加えて、小型の結像光学系を提供することも目的としている。そこで、かかる目的を達成するため、上記構成に加え、以下に示すような各種条件を設定している。
【００２３】
まず、本発明にかかる結像光学系では、第３レンズの焦点距離をｆ１３、第４レンズと第５レンズと第６レンズとの合成焦点距離をＦ２、第４レンズのｄ線に対するアッベ数をν２４、第６レンズのｄ線に対するアッベ数をν２６とするとき、次の条件式を満足することが好ましい。
（１）  ０．５≦｜ｆ１３／Ｆ２｜≦２．４
（２）  １．２≦｜ν２４／ν２６｜≦２．４
【００２４】
条件式（１）,（２）を満足することにより、広角で、低温から高温までの幅広い温度領域において高い解像度を維持できる結像光学系を安価で提供することができる。
【００２５】
条件式（１）は球面収差、倍率色収差の発生を抑制して、結像光学系の解像度を向上させるための条件を示している。条件式（１）においてその下限値を下回ると、第３レンズの屈折力が強くなりすぎて、球面収差の補正が困難になり、解像度が低下してしまう。一方、条件式（１）においてその上限値を超えると、第３レンズの屈折力が弱くなりすぎて、倍率色収差の補正が困難になり、解像度が低下してしまう。
【００２６】
なお、上記条件式（１）は、次に示す範囲を満足すると、より好ましい効果が期待できる。
（１ａ）  １．５≦｜ｆ１３／Ｆ２｜≦２．０
この条件式（１ａ）で規定する範囲を満足することにより、球面収差の補正や倍率色収差の補正がより良好になり、高い解像度を有する結像光学系を実現することができる。
【００２７】
条件式（２）は球面収差、軸上色収差の発生を抑制するとともに、低温から高温までの幅広い温度領域において結像光学系の高い解像度を維持するための条件を示している。条件式（２）においてその下限値を下回ると、第４レンズの分散が小さくなりすぎて、軸上色収差の補正が困難になる。加えて、第４レンズに使用可能な硝材の屈折率の温度係数が大きくなりすぎて、高温時、低温時のフォーカスずれが大きくなり、解像度が低下してしまう。一方、条件式（２）においてその上限値を超えると、第４レンズの分散が大きくなりすぎて、屈折率の低い硝材で第４レンズを形成せざるを得なくなる。このため、第４レンズの屈折力が弱くなって、球面収差の補正が困難になる。加えて、第４レンズに使用可能な硝材の屈折率の温度係数が小さくなりすぎて、高温時、低温時のフォーカスずれが大きくなり、解像度が低下してしまう。
【００２８】
なお、上記条件式（２）は、次に示す範囲を満足すると、より好ましい効果が期待できる。
（２ａ）  １．２≦｜ν２４／ν２６｜≦２．０
この条件式（２ａ）で規定する範囲を満足することにより、球面収差の補正や軸上色収差の補正がより良好になり、低温から高温までの幅広い温度領域において高い解像度を維持できる結像光学系を実現することができる。
【００２９】
さらに、本発明にかかる結像光学系では、第４レンズのｄ線に対するアッベ数をν２４、第３レンズのｄ線に対するアッベ数をν２３、第１レンズと第２レンズと第３レンズとの合成焦点距離をＦ１、第４レンズの焦点距離をｆ１４とするとき、次の条件式を満足することが好ましい。
（３）  １．５≦｜ν２４／ν２３｜≦４．２
（４）  ０．９≦｜Ｆ１／ｆ１４｜≦４．７
【００３０】
条件式（１）,（２）に加え、条件式（３）,（４）を満足することにより、小型、広角で、低温から高温までの幅広い温度領域において高い解像度を維持できる結像光学系を安価で提供することができる。
【００３１】
条件式（３）は高温時、低温時の結像光学系のフォーカスずれを抑制するための条件を示している。条件式（３）においてその下限値を下回ると、第４レンズに使用可能な硝材の屈折率の温度係数が大きくなりすぎて、高温時、低温時のフォーカスずれが大きくなり、解像度が低下してしまう。一方、条件式（３）においてその上限値を超えると、第４レンズに使用可能な硝材の屈折率の温度係数が小さくなりすぎて、高温時、低温時のフォーカスずれが大きくなり、解像度が低下してしまう。
【００３２】
なお、上記条件式（３）は、次に示す範囲を満足すると、より好ましい効果が期待できる。
（３ａ）  １．６≦｜ν２４／ν２３｜≦２．１
この条件式（３ａ）で規定する範囲を満足することにより、高温時、低温時のフォーカスずれをより高い精度で抑制し、高い解像度を有する結像光学系を実現することができる。
【００３３】
条件式（４）は小型で、高い解像度を有する結像光学系を安価で実現するための条件を示している。条件式（４）においてその下限値を下回ると、第１レンズと第２レンズと第３レンズとの合成屈折力が強くなりすぎて、レンズの曲率が強くなりすぎ、レンズ加工の難易度が上がって光学系の製造コストの低減が困難になる。一方、条件式（４）においてその上限値を超えると、第４レンズの屈折力が強くなりすぎて、球面収差の補正が困難になり、解像度が低下してしまう。加えて、第１レンズと第２レンズと第３レンズとの合成屈折力が弱くなりすぎて、第１レンズの外径が大きくなり、光学系の小型化に不利になる。
【００３４】
なお、上記条件式（４）は、次に示す範囲を満足すると、より好ましい効果が期待できる。
（４ａ）  １．１≦｜Ｆ１／ｆ１４｜≦２．２
この条件式（４ａ）で規定する範囲を満足することにより、より小型、高性能の結像光学系を安価で実現することができる。
【００３５】
さらに、本発明にかかる結像光学系では、第１レンズの焦点距離をｆ１１、第２レンズの焦点距離をｆ１２、第４レンズと第５レンズと第６レンズとの合成焦点距離をＦ２とするとき、次の条件式を満足することが好ましい。
（５）  ０．７≦｜ｆ１１／ｆ１２｜≦５．６
（６）  ０．３≦｜ｆ１１／Ｆ２｜≦５．１
【００３６】
条件式（１）〜（４）に加え、条件式（５）,（６）を満足することにより、小型、広角で、低温から高温までの幅広い温度領域においてきわめて高い解像度を維持できる結像光学系を安価で提供することができる。
【００３７】
条件式（５）は歪曲収差の発生を抑制して結像光学系の解像度を向上させるとともに、結像光学系の小型、広角化を図るための条件を示している。条件式（５）においてその下限値を下回ると、第１レンズの屈折力が強くなりすぎて、歪曲収差の補正が困難になり、解像度が低下してしまう。一方、条件式（５）においてその上限値を超えると、第１レンズの屈折力が弱くなりすぎて、第１レンズの外径が大きくなり、製造コストの低減が困難になる。加えて、画角が小さくなって広角の結像光学系を実現することが困難になる。
【００３８】
なお、上記条件式（５）は、次に示す範囲を満足すると、より好ましい効果が期待できる。
（５ａ）  ０．８≦｜ｆ１１／ｆ１２｜≦２．４
この条件式（５ａ）で規定する範囲を満足することにより、小型、広角で、より高い解像度を有する結像光学系を実現することができる。
【００３９】
条件式（６）は球面収差、非点収差の発生を抑制して結像光学系の解像度を向上させるとともに、結像光学系の小型化を図るための条件を示している。条件式（６）においてその下限値を下回ると、第４レンズと第５レンズと第６レンズとの合成屈折力が弱くなりすぎて、球面収差と非点収差の補正が困難になり、解像度が低下してしまう。一方、条件式（６）においてその上限値を超えると、第４レンズと第５レンズと第６レンズとの合成屈折力が強くなりすぎて、第１レンズの外径が大きくなり、小型の光学系を実現することが困難になる。加えて、第１レンズの大型化により、光学系の製造コストが嵩むことになる。
【００４０】
なお、上記条件式（６）は、次に示す範囲を満足すると、より好ましい効果が期待できる。
（６ａ）  ０．４≦｜ｆ１１／Ｆ２｜≦１．５
この条件式（６ａ）で規定する範囲を満足することにより、小型で、より高い解像度を有する結像光学系を実現することができる。
【００４１】
以上説明したように、本発明にかかる結像光学系は、上記構成を備え、上記条件式を満足することにより、小型、広角で、低温から高温までの幅広い温度領域において高い解像度を維持できる結像光学系を安価で提供することができる。かかる特徴を備えた本発明の結像光学系は、特に環境温度の変化が著しい条件下で使用される監視用カメラや車載用カメラなどに好適である。
【００４２】
以下、本発明にかかる結像光学系の実施例を図面に基づき詳細に説明する。なお、以下の実施例により本発明が限定されるものではない。
【実施例１】
【００４３】
図１は、実施例１にかかる結像光学系の構成を示す光軸に沿う断面図である。この結像光学系は、図示しない物体側から順に、負の屈折力を有する第１レンズＬ11と、負の屈折力を有する第２レンズＬ12と、正の屈折力を有する第３レンズＬ13と、正の屈折力を有する第４レンズＬ14と、負の屈折力を有する第５レンズＬ15と、正の屈折力を有する第６レンズＬ16と、が配置されて構成される。
【００４４】
第１レンズＬ11および第４レンズＬ14は、ガラスで形成されている。第２レンズＬ12、第３レンズＬ13、第５レンズＬ15、および第６レンズＬ16は、プラスチックで形成されている。
【００４５】
第３レンズＬ13と第４レンズＬ14との間には、所定の口径を規定する開口絞りＳが配置されている。また、第６レンズＬ16と結像面ＩＭＧとの間には、物体側から順に、赤外カットフィルタ等のフィルタ類Ｆと、カバーガラスＣＧと、が配置されている。なお、結像面ＩＭＧには、固体撮像素子の受光面が配置される。
【００４６】
第２レンズＬ12、第３レンズＬ13、第５レンズＬ15、および第６レンズＬ16は、いずれも両面に非球面が形成されている。
【００４７】
以下、実施例１にかかる結像光学系に関する各種数値データを示す。
【００４８】
ｆ（結像光学系全系の焦点距離）＝1.75
Ｆｎｏ．（Ｆナンバー）＝2.4
２ω（画角）＝170.2
【００４９】
（レンズデータ）
ｒ1＝21.6317
ｄ1＝0.5966    ｎｄ1＝1.77    νｄ1＝49.6
ｒ2＝9.6000
ｄ2＝4.9808
ｒ3＝-10.2975（非球面）
ｄ3＝3.5446    ｎｄ2＝1.53    νｄ2＝56.0
ｒ4＝3.2050（非球面）
ｄ4＝3.3327
ｒ5＝77.4456（非球面）
ｄ5＝4.4856    ｎｄ3＝1.64    νｄ3＝23.5
ｒ6＝-4.3970（非球面）
ｄ6＝3.7587
ｒ7＝∞（開口絞り）
ｄ7＝1.9636
ｒ8＝39.8669
ｄ8＝1.4678    ｎｄ4＝1.59    νｄ4＝68.6
ｒ9＝-2.6805
ｄ9＝0.1000
ｒ10＝-8.1274（非球面）
ｄ10＝1.0267    ｎｄ5＝1.62    νｄ5＝25.9
ｒ11＝2.7497（非球面）
ｄ11＝0.0463
ｒ12＝3.4255（非球面）
ｄ12＝3.6898    ｎｄ6＝1.53    νｄ6＝56.0
ｒ13＝-2.8247（非球面）
ｄ13＝0.1000
ｒ14＝∞
ｄ14＝0.3000    ｎｄ7＝1.52    νｄ7＝64.1
ｒ15＝∞
ｄ15＝3.1700
ｒ16＝∞
ｄ16＝0.4000    ｎｄ8＝1.52    νｄ8＝64.1
ｒ17＝∞
ｄ17＝0.1414
ｒ18＝∞（結像面）
【００５０】
円錐係数（ε）および非球面係数（Ａ，Ｂ，Ｃ，Ｄ，Ｅ）
（第３面）
ε＝-35.9572，
Ａ＝0，Ｂ＝7.47121×10-4，
Ｃ＝-2.84245×10-5，Ｄ＝-2.73644×10-7，
Ｅ＝3.12160×10-8
（第４面）
ε＝0.8701，
Ａ＝0，Ｂ＝3.10378×10-4，
Ｃ＝-8.37388×10-4，Ｄ＝9.20669×10-5，
Ｅ＝-1.02451×10-5
（第５面）
ε＝-45671.63，
Ａ＝0，Ｂ＝-3.59028×10-3，
Ｃ＝-6.53390×10-5，Ｄ＝2.92043×10-5，
Ｅ＝-7.08081×10-6
（第６面）
ε＝-6.9377，
Ａ＝0，Ｂ＝-6.67391×10-3，
Ｃ＝4.40642×10-4，Ｄ＝-2.27257×10-5，
Ｅ＝8.76303×10-7
（第１０面）
ε＝15.559，
Ａ＝0，Ｂ＝-3.01586×10-2，
Ｃ＝4.75600×10-3，Ｄ＝-4.16247×10-4，
Ｅ＝-2.11821×10-4
（第１１面）
ε＝-4.6698，
Ａ＝0，Ｂ＝-6.15379×10-3，
Ｃ＝2.06424×10-3，Ｄ＝-3.45453×10-4，
Ｅ＝5.00810×10-6
（第１２面）
ε＝-0.0552，
Ａ＝0，Ｂ＝-6.45171×10-3，
Ｃ＝1.02295×10-3，Ｄ＝-1.44785×10-4，
Ｅ＝6.06124×10-6
（第１３面）
ε＝0.8884，
Ａ＝0，Ｂ＝5.05987×10-3，
Ｃ＝1.37587×10-4，Ｄ＝5.93058×10-5，
Ｅ＝-7.85155×10-6
【００５１】
（条件式（１）に関する数値）
ｆ１３（第３レンズＬ13の焦点距離）＝6.58
Ｆ２（第４レンズＬ14と第５レンズＬ15と第６レンズＬ16との合成焦点距離）＝4.61
｜ｆ１３／Ｆ２｜＝1.4
【００５２】
（条件式（２）に関する数値）
ν２４（第４レンズＬ14のｄ線に対するアッベ数）＝68.6
ν２６（第６レンズＬ16のｄ線に対するアッベ数）＝56.0
｜ν２４／ν２６｜＝1.2
【００５３】
（条件式（３）に関する数値）
ν２３（第３レンズＬ13のｄ線に対するアッベ数）＝23.5
｜ν２４／ν２３｜＝2.9
【００５４】
（条件式（４）に関する数値）
Ｆ１（第１レンズＬ11と第２レンズＬ12と第３レンズＬ13との合成焦点距離）＝5.30
ｆ１４（第４レンズＬ14の焦点距離）＝4.27
｜Ｆ１／ｆ１４｜＝1.2
【００５５】
（条件式（５）に関する数値）
ｆ１１（第１レンズＬ11の焦点距離）＝-22.73
ｆ１２（第２レンズＬ12の焦点距離）＝-4.20
｜ｆ１１／ｆ１２｜＝5.4
【００５６】
（条件式（６）に関する数値）
｜ｆ１１／Ｆ２｜＝4.9
【００５７】
図２は、実施例１にかかる結像光学系の諸収差図である。図中、ＦはＦ線（λ＝４８６．１３ｎｍ）、ｅはｅ線（λ＝５４６．０７ｎｍ）、ＣはＣ線（λ＝６５６．２７ｎｍ）に相当する波長の収差を表す。そして、非点収差図におけるＳ、Ｍは、それぞれサジタル像面、メリディオナル像面に対する収差を表す。
【実施例２】
【００５８】
図３は、実施例２にかかる結像光学系の構成を示す光軸に沿う断面図である。この結像光学系は、図示しない物体側から順に、負の屈折力を有する第１レンズＬ21と、負の屈折力を有する第２レンズＬ22と、正の屈折力を有する第３レンズＬ23と、正の屈折力を有する第４レンズＬ24と、負の屈折力を有する第５レンズＬ25と、正の屈折力を有する第６レンズＬ26と、が配置されて構成される。
【００５９】
第１レンズＬ21および第４レンズＬ24は、ガラスで形成されている。第２レンズＬ22、第３レンズＬ23、第５レンズＬ25、および第６レンズＬ26は、プラスチックで形成されている。
【００６０】
第３レンズＬ23と第４レンズＬ24との間には、所定の口径を規定する開口絞りＳが配置されている。また、第６レンズＬ26と結像面ＩＭＧとの間には、物体側から順に、赤外カットフィルタ等のフィルタ類Ｆと、カバーガラスＣＧと、が配置されている。なお、結像面ＩＭＧには、固体撮像素子の受光面が配置される。
【００６１】
第２レンズＬ22、第３レンズＬ23、第５レンズＬ25、および第６レンズＬ26は、いずれも両面に非球面が形成されている。
【００６２】
以下、実施例２にかかる結像光学系に関する各種数値データを示す。
【００６３】
ｆ（結像光学系全系の焦点距離）＝2.26
Ｆｎｏ．（Ｆナンバー）＝2.4
２ω（画角）＝170.3
【００６４】
（レンズデータ）
ｒ1＝16.1072
ｄ1＝2.6719    ｎｄ1＝1.77    νｄ1＝49.6
ｒ2＝3.4539
ｄ2＝3.1450
ｒ3＝-12.3833（非球面）
ｄ3＝0.7145    ｎｄ2＝1.53    νｄ2＝56.0
ｒ4＝3.3323（非球面）
ｄ4＝1.0280
ｒ5＝2078.4705（非球面）
ｄ5＝2.2000    ｎｄ3＝1.64    νｄ3＝23.5
ｒ6＝-5.7209（非球面）
ｄ6＝2.6335
ｒ7＝∞（開口絞り）
ｄ7＝0.8329
ｒ8＝7.0000
ｄ8＝3.5593    ｎｄ4＝1.59    νｄ4＝68.6
ｒ9＝-4.8000
ｄ9＝0.1000
ｒ10＝-7.8497（非球面）
ｄ10＝1.7264    ｎｄ5＝1.62    νｄ5＝25.9
ｒ11＝2.6623（非球面）
ｄ11＝0.1000
ｒ12＝3.9588（非球面）
ｄ12＝3.1859    ｎｄ6＝1.53    νｄ6＝56.0
ｒ13＝-3.1995（非球面）
ｄ13＝0.1000
ｒ14＝∞
ｄ14＝0.3000    ｎｄ7＝1.52    νｄ7＝64.1
ｒ15＝∞
ｄ15＝3.1700
ｒ16＝∞
ｄ16＝0.4000    ｎｄ8＝1.52    νｄ8＝64.1
ｒ17＝∞
ｄ17＝0.0788
ｒ18＝∞（結像面）
【００６５】
円錐係数（ε）および非球面係数（Ａ，Ｂ，Ｃ，Ｄ，Ｅ）
（第３面）
ε＝-37.2478，
Ａ＝0，Ｂ＝1.36102×10-3，
Ｃ＝-7.69505×10-5，Ｄ＝5.81631×10-6，
Ｅ＝2.49775×10-6
（第４面）
ε＝0.7541，
Ａ＝0，Ｂ＝-3.85969×10-3，
Ｃ＝-7.41695×10-4，Ｄ＝1.10876×10-4，
Ｅ＝-5.16487×10-6
（第５面）
ε＝1666339，
Ａ＝0，Ｂ＝-2.33661×10-3，
Ｃ＝-1.85766×10-4，Ｄ＝1.28447×10-5，
Ｅ＝2.11204×10-6
（第６面）
ε＝-2.3367，
Ａ＝0，Ｂ＝-7.05143×10-3，
Ｃ＝5.22640×10-4，Ｄ＝-2.93452×10-5，
Ｅ＝-3.75907×10-6
（第１０面）
ε＝13.577，
Ａ＝0，Ｂ＝-2.36457×10-2，
Ｃ＝5.61615×10-3，Ｄ＝-3.21839×10-4，
Ｅ＝-1.92909×10-4
（第１１面）
ε＝-3.8341，
Ａ＝0，Ｂ＝-7.29068×10-3，
Ｃ＝2.03544×10-3，Ｄ＝-3.42769×10-4，
Ｅ＝6.47629×10-6
（第１２面）
ε＝-0.1433，
Ａ＝0，Ｂ＝-6.50118×10-3，
Ｃ＝1.09844×10-3，Ｄ＝-1.33447×10-4，
Ｅ＝6.08740×10-6
（第１３面）
ε＝0.9029，
Ａ＝0，Ｂ＝6.06746×10-3，
Ｃ＝2.20741×10-4，Ｄ＝6.03895×10-5，
Ｅ＝-7.99678×10-6
【００６６】
（条件式（１）に関する数値）
ｆ１３（第３レンズＬ23の焦点距離）＝8.83
Ｆ２（第４レンズＬ24と第５レンズＬ25と第６レンズＬ26との合成焦点距離）＝6.72
｜ｆ１３／Ｆ２｜＝1.3
【００６７】
（条件式（２）に関する数値）
ν２４（第４レンズＬ24のｄ線に対するアッベ数）＝68.6
ν２６（第６レンズＬ26のｄ線に対するアッベ数）＝56.0
｜ν２４／ν２６｜＝1.2
【００６８】
（条件式（３）に関する数値）
ν２３（第３レンズＬ23のｄ線に対するアッベ数）＝23.5
｜ν２４／ν２３｜＝2.9
【００６９】
（条件式（４）に関する数値）
Ｆ１（第１レンズＬ21と第２レンズＬ22と第３レンズＬ23との合成焦点距離）＝-5.92
ｆ１４（第４レンズＬ24の焦点距離）＝5.39
｜Ｆ１／ｆ１４｜＝1.1
【００７０】
（条件式（５）に関する数値）
ｆ１１（第１レンズＬ21の焦点距離）＝-6.24
ｆ１２（第２レンズＬ22の焦点距離）＝-4.85
｜ｆ１１／ｆ１２｜＝1.3
【００７１】
（条件式（６）に関する数値）
｜ｆ１１／Ｆ２｜＝0.9
【００７２】
図４は、実施例２にかかる結像光学系の諸収差図である。図中、ＦはＦ線（λ＝４８６．１３ｎｍ）、ｅはｅ線（λ＝５４６．０７ｎｍ）、ＣはＣ線（λ＝６５６．２７ｎｍ）に相当する波長の収差を表す。そして、非点収差図におけるＳ、Ｍは、それぞれサジタル像面、メリディオナル像面に対する収差を表す。
【実施例３】
【００７３】
図５は、実施例３にかかる結像光学系の構成を示す光軸に沿う断面図である。この結像光学系は、図示しない物体側から順に、負の屈折力を有する第１レンズＬ31と、負の屈折力を有する第２レンズＬ32と、正の屈折力を有する第３レンズＬ33と、正の屈折力を有する第４レンズＬ34と、負の屈折力を有する第５レンズＬ35と、正の屈折力を有する第６レンズＬ36と、が配置されて構成される。
【００７４】
第１レンズＬ31および第４レンズＬ34は、ガラスで形成されている。第２レンズＬ32、第３レンズＬ33、第５レンズＬ35、および第６レンズＬ36は、プラスチックで形成されている。
【００７５】
第３レンズＬ33と第４レンズＬ34との間には、所定の口径を規定する開口絞りＳが配置されている。また、第６レンズＬ36と結像面ＩＭＧとの間には、物体側から順に、赤外カットフィルタ等のフィルタ類Ｆと、カバーガラスＣＧと、が配置されている。なお、結像面ＩＭＧには、固体撮像素子の受光面が配置される。
【００７６】
第２レンズＬ32、第３レンズＬ33、第５レンズＬ35、および第６レンズＬ36は、いずれも両面に非球面が形成されている。
【００７７】
以下、実施例３にかかる結像光学系に関する各種数値データを示す。
【００７８】
ｆ（結像光学系全系の焦点距離）＝1.83
Ｆｎｏ．（Ｆナンバー）＝2.4
２ω（画角）＝170.3
【００７９】
（レンズデータ）
ｒ1＝435.3815
ｄ1＝1.1000    ｎｄ1＝1.77    νｄ1＝49.6
ｒ2＝2.9842
ｄ2＝3.9450
ｒ3＝-8.3837（非球面）
ｄ3＝0.8194    ｎｄ2＝1.53    νｄ2＝56.0
ｒ4＝3.4570（非球面）
ｄ4＝1.4894
ｒ5＝15.0560（非球面）
ｄ5＝3.8874    ｎｄ3＝1.64    νｄ3＝23.5
ｒ6＝-5.1664（非球面）
ｄ6＝1.8102
ｒ7＝∞（開口絞り）
ｄ7＝0.5232
ｒ8＝43.0260
ｄ8＝2.2531    ｎｄ4＝1.59    νｄ4＝68.6
ｒ9＝-2.9863
ｄ9＝0.1000
ｒ10＝-7.6634（非球面）
ｄ10＝0.8789    ｎｄ5＝1.62    νｄ5＝25.9
ｒ11＝2.7454（非球面）
ｄ11＝0.0652
ｒ12＝4.9431（非球面）
ｄ12＝3.2407    ｎｄ6＝1.53    νｄ6＝56.0
ｒ13＝-4.9632（非球面）
ｄ13＝0.1000
ｒ14＝∞
ｄ14＝0.3000    ｎｄ7＝1.52    νｄ7＝64.1
ｒ15＝∞
ｄ15＝3.1700
ｒ16＝∞
ｄ16＝0.4000    ｎｄ8＝1.52    νｄ8＝64.1
ｒ17＝∞
ｄ17＝0.0243
ｒ18＝∞（結像面）
【００８０】
円錐係数（ε）および非球面係数（Ａ，Ｂ，Ｃ，Ｄ，Ｅ）
（第３面）
ε＝-49.5396，
Ａ＝0，Ｂ＝1.27959×10-3，
Ｃ＝-2.35179×10-5，Ｄ＝-7.74516×10-8，
Ｅ＝7.49616×10-8
（第４面）
ε＝0.8245，
Ａ＝0，Ｂ＝-1.35589×10-3，
Ｃ＝-8.02991×10-4，Ｄ＝8.26969×10-5，
Ｅ＝-1.30930×10-5
（第５面）
ε＝-60.5414，
Ａ＝0，Ｂ＝-3.30747×10-3，
Ｃ＝-1.10241×10-4，Ｄ＝2.91826×10-5，
Ｅ＝-5.14663×10-6
（第６面）
ε＝-8.3618，
Ａ＝0，Ｂ＝-6.66640×10-3，
Ｃ＝4.36770×10-4，Ｄ＝-3.54420×10-5，
Ｅ＝1.14385×10-6
（第１０面）
ε＝14.9609，
Ａ＝0，Ｂ＝-2.87843×10-2，
Ｃ＝5.25724×10-3，Ｄ＝-3.20373×10-4，
Ｅ＝-1.82690×10-4
（第１１面）
ε＝-4.4613，
Ａ＝0，Ｂ＝-6.39560×10-3，
Ｃ＝1.98523×10-3，Ｄ＝-3.56711×10-4，
Ｅ＝3.77227×10-6
（第１２面）
ε＝0.1219，
Ａ＝0，Ｂ＝-5.96170×10-3，
Ｃ＝1.19213×10-3，Ｄ＝-1.19678×10-4，
Ｅ＝5.82458×10-6
（第１３面）
ε＝0.9593，
Ａ＝0，Ｂ＝5.22407×10-3，
Ｃ＝1.73497×10-4，Ｄ＝5.61509×10-5，
Ｅ＝-8.93136×10-6
【００８１】
（条件式（１）に関する数値）
ｆ１３（第３レンズＬ33の焦点距離）＝6.44
Ｆ２（第４レンズＬ34と第５レンズＬ35と第６レンズＬ36との合成焦点距離）＝8.56
｜ｆ１３／Ｆ２｜＝0.8
【００８２】
（条件式（２）に関する数値）
ν２４（第４レンズＬ34のｄ線に対するアッベ数）＝68.6
ν２６（第６レンズＬ36のｄ線に対するアッベ数）＝56.0
｜ν２４／ν２６｜＝1.2
【００８３】
（条件式（３）に関する数値）
ν２３（第３レンズＬ33のｄ線に対するアッベ数）＝23.5
｜ν２４／ν２３｜＝2.9
【００８４】
（条件式（４）に関する数値）
Ｆ１（第１レンズＬ31と第２レンズＬ32と第３レンズＬ33との合成焦点距離）＝-7.8
ｆ１４（第４レンズＬ34の焦点距離）＝4.78
｜Ｆ１／ｆ１４｜＝1.6
【００８５】
（条件式（５）に関する数値）
ｆ１１（第１レンズＬ31の焦点距離）＝-3.88
ｆ１２（第２レンズＬ32の焦点距離）＝-4.48
｜ｆ１１／ｆ１２｜＝0.9
【００８６】
（条件式（６）に関する数値）
｜ｆ１１／Ｆ２｜＝0.5
【００８７】
図６は、実施例３にかかる結像光学系の諸収差図である。図中、ＦはＦ線（λ＝４８６．１３ｎｍ）、ｅはｅ線（λ＝５４６．０７ｎｍ）、ＣはＣ線（λ＝６５６．２７ｎｍ）に相当する波長の収差を表す。そして、非点収差図におけるＳ、Ｍは、それぞれサジタル像面、メリディオナル像面に対する収差を表す。
【実施例４】
【００８８】
図７は、実施例４にかかる結像光学系の構成を示す光軸に沿う断面図である。この結像光学系は、図示しない物体側から順に、負の屈折力を有する第１レンズＬ41と、負の屈折力を有する第２レンズＬ42と、正の屈折力を有する第３レンズＬ43と、正の屈折力を有する第４レンズＬ44と、負の屈折力を有する第５レンズＬ45と、正の屈折力を有する第６レンズＬ46と、が配置されて構成される。
【００８９】
第１レンズＬ41および第４レンズＬ44は、ガラスで形成されている。第２レンズＬ42、第３レンズＬ43、第５レンズＬ45、および第６レンズＬ46は、プラスチックで形成されている。
【００９０】
第３レンズＬ43と第４レンズＬ44との間には、所定の口径を規定する開口絞りＳが配置されている。また、第６レンズＬ46と結像面ＩＭＧとの間には、物体側から順に、赤外カットフィルタ等のフィルタ類Ｆと、カバーガラスＣＧと、が配置されている。なお、結像面ＩＭＧには、固体撮像素子の受光面が配置される。
【００９１】
第２レンズＬ42、第３レンズＬ43、第５レンズＬ45、および第６レンズＬ46は、いずれも両面に非球面が形成されている。
【００９２】
以下、実施例４にかかる結像光学系に関する各種数値データを示す。
【００９３】
ｆ（結像光学系全系の焦点距離）＝2.94
Ｆｎｏ．（Ｆナンバー）＝2.4
２ω（画角）＝168.7
【００９４】
（レンズデータ）
ｒ1＝12.8956
ｄ1＝2.0187    ｎｄ1＝1.77    νｄ1＝49.6
ｒ2＝4.8751
ｄ2＝0.4999
ｒ3＝-5.6862（非球面）
ｄ3＝0.4636    ｎｄ2＝1.53    νｄ2＝56.0
ｒ4＝4.0805（非球面）
ｄ4＝0.5141
ｒ5＝-20.9454（非球面）
ｄ5＝1.7961    ｎｄ3＝1.65    νｄ3＝21.5
ｒ6＝-5.4509（非球面）
ｄ6＝1.7660
ｒ7＝∞（開口絞り）
ｄ7＝1.4012
ｒ8＝33.4663
ｄ8＝2.1754    ｎｄ4＝1.66    νｄ4＝50.9
ｒ9＝-2.3167
ｄ9＝0.1000
ｒ10＝-7.9021（非球面）
ｄ10＝1.6317    ｎｄ5＝1.62    νｄ5＝25.9
ｒ11＝2.7682（非球面）
ｄ11＝0.1230
ｒ12＝3.0137（非球面）
ｄ12＝2.6494    ｎｄ6＝1.53    νｄ6＝56.0
ｒ13＝-9.5090（非球面）
ｄ13＝0.1000
ｒ14＝∞
ｄ14＝0.3000    ｎｄ7＝1.52    νｄ7＝64.1
ｒ15＝∞
ｄ15＝3.1700
ｒ16＝∞
ｄ16＝0.4000    ｎｄ8＝1.52    νｄ8＝64.1
ｒ17＝∞
ｄ17＝0.0368
ｒ18＝∞（結像面）
【００９５】
円錐係数（ε）および非球面係数（Ａ，Ｂ，Ｃ，Ｄ，Ｅ）
（第３面）
ε＝-9.3298，
Ａ＝0，Ｂ＝9.57621×10-4，
Ｃ＝6.93506×10-6，Ｄ＝2.92873×10-6，
Ｅ＝3.28198×10-7
（第４面）
ε＝1.0186，
Ａ＝0，Ｂ＝5.53518×10-4，
Ｃ＝-7.08755×10-4，Ｄ＝9.73430×10-5，
Ｅ＝-9.29239×10-6
（第５面）
ε＝-365.2189，
Ａ＝0，Ｂ＝-3.92995×10-3，
Ｃ＝-9.33005×10-5，Ｄ＝2.70671×10-5，
Ｅ＝-7.57800×10-6
（第６面）
ε＝-7.0242，
Ａ＝0，Ｂ＝-6.20150×10-3，
Ｃ＝5.49847×10-4，Ｄ＝-1.80618×10-6，
Ｅ＝6.06556×10-6
（第１０面）
ε＝15.4021，
Ａ＝0，Ｂ＝-2.76351×10-2，
Ｃ＝5.50927×10-3，Ｄ＝-3.08155×10-4，
Ｅ＝-1.95313×10-4
（第１１面）
ε＝-5.7914，
Ａ＝0，Ｂ＝-7.32326×10-3，
Ｃ＝1.93506×10-3，Ｄ＝-3.51620×10-4，
Ｅ＝5.60061×10-6
（第１２面）
ε＝0.3181，
Ａ＝0，Ｂ＝-6.54427×10-3，
Ｃ＝1.16988×10-3，Ｄ＝-1.24077×10-4，
Ｅ＝6.25401×10-6
（第１３面）
ε＝-1.4731，
Ａ＝0，Ｂ＝5.41930×10-3，
Ｃ＝2.02928×10-4，Ｄ＝5.70341×10-5，
Ｅ＝-9.35423×10-6
【００９６】
（条件式（１）に関する数値）
ｆ１３（第３レンズＬ43の焦点距離）＝10.71
Ｆ２（第４レンズＬ44と第５レンズＬ45と第６レンズＬ46との合成焦点距離）＝4.76
｜ｆ１３／Ｆ２｜＝2.3
【００９７】
（条件式（２）に関する数値）
ν２４（第４レンズＬ44のｄ線に対するアッベ数）＝50.9
ν２６（第６レンズＬ46のｄ線に対するアッベ数）＝56.0
｜ν２４／ν２６｜＝0.9
【００９８】
（条件式（３）に関する数値）
ν２３（第３レンズＬ43のｄ線に対するアッベ数）＝21.5
｜ν２４／ν２３｜＝2.4
【００９９】
（条件式（４）に関する数値）
Ｆ１（第１レンズＬ41と第２レンズＬ42と第３レンズＬ43との合成焦点距離）＝-6.18
ｆ１４（第４レンズＬ44の焦点距離）＝3.36
｜Ｆ１／ｆ１４｜＝1.8
【０１００】
（条件式（５）に関する数値）
ｆ１１（第１レンズＬ41の焦点距離）＝-11.35
ｆ１２（第２レンズＬ42の焦点距離）＝-4.38
｜ｆ１１／ｆ１２｜＝2.6
【０１０１】
（条件式（６）に関する数値）
｜ｆ１１／Ｆ２｜＝2.4
【０１０２】
図８は、実施例４にかかる結像光学系の諸収差図である。図中、ＦはＦ線（λ＝４８６．１３ｎｍ）、ｅはｅ線（λ＝５４６．０７ｎｍ）、ＣはＣ線（λ＝６５６．２７ｎｍ）に相当する波長の収差を表す。そして、非点収差図におけるＳ、Ｍは、それぞれサジタル像面、メリディオナル像面に対する収差を表す。
【実施例５】
【０１０３】
図９は、実施例５にかかる結像光学系の構成を示す光軸に沿う断面図である。この結像光学系は、図示しない物体側から順に、負の屈折力を有する第１レンズＬ51と、負の屈折力を有する第２レンズＬ52と、正の屈折力を有する第３レンズＬ53と、正の屈折力を有する第４レンズＬ54と、負の屈折力を有する第５レンズＬ55と、正の屈折力を有する第６レンズＬ56と、が配置されて構成される。
【０１０４】
第１レンズＬ51および第４レンズＬ54は、ガラスで形成されている。第２レンズＬ52、第３レンズＬ53、第５レンズＬ55、および第６レンズＬ56は、プラスチックで形成されている。
【０１０５】
第３レンズＬ53と第４レンズＬ54との間には、所定の口径を規定する開口絞りＳが配置されている。また、第６レンズＬ56と結像面ＩＭＧとの間には、物体側から順に、赤外カットフィルタ等のフィルタ類Ｆと、カバーガラスＣＧと、が配置されている。なお、結像面ＩＭＧには、固体撮像素子の受光面が配置される。
【０１０６】
第２レンズＬ52、第３レンズＬ53、第５レンズＬ55、および第６レンズＬ56は、いずれも両面に非球面が形成されている。
【０１０７】
以下、実施例５にかかる結像光学系に関する各種数値データを示す。
【０１０８】
ｆ（結像光学系全系の焦点距離）＝2.18
Ｆｎｏ．（Ｆナンバー）＝2.4
２ω（画角）＝173.6
【０１０９】
（レンズデータ）
ｒ1＝80.6469
ｄ1＝4.2070    ｎｄ1＝1.77    νｄ1＝49.6
ｒ2＝3.6000
ｄ2＝2.0989
ｒ3＝-10.9018（非球面）
ｄ3＝1.0000    ｎｄ2＝1.53    νｄ2＝56.0
ｒ4＝3.4914（非球面）
ｄ4＝1.6048
ｒ5＝177.6107（非球面）
ｄ5＝4.3001    ｎｄ3＝1.64    νｄ3＝23.5
ｒ6＝-5.1686（非球面）
ｄ6＝4.7265
ｒ7＝∞（開口絞り）
ｄ7＝0.9592
ｒ8＝5.7609
ｄ8＝1.6000    ｎｄ4＝1.44    νｄ4＝95.1
ｒ9＝-4.0800
ｄ9＝0.1000
ｒ10＝-7.9629（非球面）
ｄ10＝1.1204    ｎｄ5＝1.62    νｄ5＝25.9
ｒ11＝2.8966（非球面）
ｄ11＝0.1082
ｒ12＝4.9834（非球面）
ｄ12＝2.8325    ｎｄ6＝1.53    νｄ6＝42.3
ｒ13＝-3.9929（非球面）
ｄ13＝0.1000
ｒ14＝∞
ｄ14＝0.3000    ｎｄ7＝1.52    νｄ7＝64.1
ｒ15＝∞
ｄ15＝3.1700
ｒ16＝∞
ｄ16＝0.4000    ｎｄ8＝1.52    νｄ8＝64.1
ｒ17＝∞
ｄ17＝0.0491
ｒ18＝∞（結像面）
【０１１０】
円錐係数（ε）および非球面係数（Ａ，Ｂ，Ｃ，Ｄ，Ｅ）
（第３面）
ε＝-97.1313，
Ａ＝0，Ｂ＝1.74271×10-3，
Ｃ＝3.35125×10-5，Ｄ＝7.97141×10-6，
Ｅ＝1.14924×10-6
（第４面）
ε＝0.7018，
Ａ＝0，Ｂ＝-2.32523×10-3，
Ｃ＝-7.85513×10-4，Ｄ＝8.81582×10-5，
Ｅ＝-1.19921×10-5
（第５面）
ε＝-355.7014，
Ａ＝0，Ｂ＝-1.98906×10-3，
Ｃ＝-1.41981×10-4，Ｄ＝2.31791×10-5，
Ｅ＝-8.23645×10-6
（第６面）
ε＝-5.6973，
Ａ＝0，Ｂ＝-6.34100×10-3，
Ｃ＝4.54579×10-4，Ｄ＝-3.49520×10-5，
Ｅ＝1.82181×10-6
（第１０面）
ε＝13.8891，
Ａ＝0，Ｂ＝-2.75132×10-2，
Ｃ＝3.91086×10-3，Ｄ＝-3.94659×10-5，
Ｅ＝-3.20816×10-4
（第１１面）
ε＝-4.7960，
Ａ＝0，Ｂ＝-7.78012×10-3，
Ｃ＝1.82027×10-3，Ｄ＝-3.65692×10-4，
Ｅ＝6.47127×10-6
（第１２面）
ε＝0.5849，
Ａ＝0，Ｂ＝-5.67388×10-3，
Ｃ＝1.09540×10-3，Ｄ＝-1.14118×10-4，
Ｅ＝3.64643×10-6
（第１３面）
ε＝1.0923，
Ａ＝0，Ｂ＝2.94938×10-3，
Ｃ＝1.41004×10-4，Ｄ＝5.58101×10-5，
Ｅ＝-8.18481×10-6
【０１１１】
（条件式（１）に関する数値）
ｆ１３（第３レンズＬ53の焦点距離）＝7.85
Ｆ２（第４レンズＬ54と第５レンズＬ55と第６レンズＬ56との合成焦点距離）＝8.14
｜ｆ１３／Ｆ２｜＝1.0
【０１１２】
（条件式（２）に関する数値）
ν２４（第４レンズＬ54のｄ線に対するアッベ数）＝95.1
ν２６（第６レンズＬ56のｄ線に対するアッベ数）＝42.3
｜ν２４／ν２６｜＝2.3
【０１１３】
（条件式（３）に関する数値）
ν２３（第３レンズＬ53のｄ線に対するアッベ数）＝23.5
｜ν２４／ν２３｜＝4.0
【０１１４】
（条件式（４）に関する数値）
Ｆ１（第１レンズＬ51と第２レンズＬ52と第３レンズＬ53との合成焦点距離）＝-25.99
ｆ１４（第４レンズＬ54の焦点距離）＝5.74
｜Ｆ１／ｆ１４｜＝4.5
【０１１５】
（条件式（５）に関する数値）
ｆ１１（第１レンズＬ51の焦点距離）＝-4.97
ｆ１２（第２レンズＬ52の焦点距離）＝-4.84
｜ｆ１１／ｆ１２｜＝1.0
【０１１６】
（条件式（６）に関する数値）
｜ｆ１１／Ｆ２｜＝0.6
【０１１７】
図１０は、実施例５にかかる結像光学系の諸収差図である。図中、ＦはＦ線（λ＝４８６．１３ｎｍ）、ｅはｅ線（λ＝５４６．０７ｎｍ）、ＣはＣ線（λ＝６５６．２７ｎｍ）に相当する波長の収差を表す。そして、非点収差図におけるＳ、Ｍは、それぞれサジタル像面、メリディオナル像面に対する収差を表す。
【実施例６】
【０１１８】
図１１は、実施例６にかかる結像光学系の構成を示す光軸に沿う断面図である。この結像光学系は、図示しない物体側から順に、負の屈折力を有する第１レンズＬ61と、負の屈折力を有する第２レンズＬ62と、正の屈折力を有する第３レンズＬ63と、正の屈折力を有する第４レンズＬ64と、負の屈折力を有する第５レンズＬ65と、正の屈折力を有する第６レンズＬ66と、が配置されて構成される。
【０１１９】
第１レンズＬ61および第４レンズＬ64は、ガラスで形成されている。第２レンズＬ62、第３レンズＬ63、第５レンズＬ65、および第６レンズＬ66は、プラスチックで形成されている。
【０１２０】
第３レンズＬ63と第４レンズＬ64との間には、所定の口径を規定する開口絞りＳが配置されている。また、第６レンズＬ66と結像面ＩＭＧとの間には、物体側から順に、赤外カットフィルタ等のフィルタ類Ｆと、カバーガラスＣＧと、が配置されている。なお、結像面ＩＭＧには、固体撮像素子の受光面が配置される。
【０１２１】
第２レンズＬ62、第３レンズＬ63、第５レンズＬ65、および第６レンズＬ66は、いずれも両面に非球面が形成されている。
【０１２２】
以下、実施例６にかかる結像光学系に関する各種数値データを示す。
【０１２３】
ｆ（結像光学系全系の焦点距離）＝3.64
Ｆｎｏ．（Ｆナンバー）＝2.4
２ω（画角）＝168.7
【０１２４】
（レンズデータ）
ｒ1＝29.9854
ｄ1＝6.0473    ｎｄ1＝1.73    νｄ1＝54.7
ｒ2＝6.0200
ｄ2＝1.3073
ｒ3＝-9.4328（非球面）
ｄ3＝0.6217    ｎｄ2＝1.53    νｄ2＝56.0
ｒ4＝3.3986（非球面）
ｄ4＝1.2875
ｒ5＝-17.4508（非球面）
ｄ5＝3.7278    ｎｄ3＝1.58    νｄ3＝30.2
ｒ6＝-6.5800（非球面）
ｄ6＝2.4193
ｒ7＝∞（開口絞り）
ｄ7＝1.1864
ｒ8＝40.0000
ｄ8＝1.9545    ｎｄ4＝1.66    νｄ4＝50.9
ｒ9＝-2.7500
ｄ9＝0.1000
ｒ10＝-8.1532（非球面）
ｄ10＝1.5035    ｎｄ5＝1.62    νｄ5＝25.9
ｒ11＝2.7510（非球面）
ｄ11＝0.3000
ｒ12＝8.0535（非球面）
ｄ12＝2.9077    ｎｄ6＝1.53    νｄ6＝56.0
ｒ13＝-4.9517（非球面）
ｄ13＝0.1000
ｒ14＝∞
ｄ14＝0.3000    ｎｄ7＝1.52    νｄ7＝64.1
ｒ15＝∞
ｄ15＝3.1700
ｒ16＝∞
ｄ16＝0.4000    ｎｄ8＝1.52    νｄ8＝64.1
ｒ17＝∞
ｄ17＝0.0601
ｒ18＝∞（結像面）
【０１２５】
円錐係数（ε）および非球面係数（Ａ，Ｂ，Ｃ，Ｄ，Ｅ）
（第３面）
ε＝-28.5474，
Ａ＝0，Ｂ＝7.44650×10-4，
Ｃ＝-1.95919×10-5，Ｄ＝4.59589×10-7，
Ｅ＝6.55581×10-8
（第４面）
ε＝0.8319，
Ａ＝0，Ｂ＝-4.86087×10-4，
Ｃ＝-7.51242×10-4，Ｄ＝8.72538×10-5，
Ｅ＝-1.08118×10-5
（第５面）
ε＝-2532.6238，
Ａ＝0，Ｂ＝-3.66050×10-3，
Ｃ＝-1.21636×10-4，Ｄ＝2.88731×10-5，
Ｅ＝-6.75512×10-6
（第６面）
ε＝-5.7156，
Ａ＝0，Ｂ＝-6.41645×10-3，
Ｃ＝4.53703×10-4，Ｄ＝-2.97447×10-5，
Ｅ＝1.36180×10-6
（第１０面）
ε＝14.1549，
Ａ＝0，Ｂ＝-2.90105×10-2，
Ｃ＝5.56394×10-3，Ｄ＝-2.55574×10-4，
Ｅ＝-1.75983×10-4
（第１１面）
ε＝-4.8606，
Ａ＝0，Ｂ＝-6.98568×10-3，
Ｃ＝1.92766×10-3，Ｄ＝-3.55687×10-4，
Ｅ＝6.38230×10-6
（第１２面）
ε＝2.6809，
Ａ＝0，Ｂ＝-5.45101×10-3，
Ｃ＝1.26313×10-3，Ｄ＝-1.11075×10-4，
Ｅ＝7.50287×10-6
（第１３面）
ε＝1.3892，
Ａ＝0，Ｂ＝4.16966×10-3，
Ｃ＝7.86414×10-5，Ｄ＝5.63405×10-5，
Ｅ＝-8.38526×10-6
【０１２６】
（条件式（１）に関する数値）
ｆ１３（第３レンズＬ63の焦点距離）＝15.97
Ｆ２（第４レンズＬ64と第５レンズＬ65と第６レンズＬ66との合成焦点距離）＝7.82
｜ｆ１３／Ｆ２｜＝2.0
【０１２７】
（条件式（２）に関する数値）
ν２４（第４レンズＬ64のｄ線に対するアッベ数）＝50.9
ν２６（第６レンズＬ66のｄ線に対するアッベ数）＝56.0
｜ν２４／ν２６｜＝0.9
【０１２８】
（条件式（３）に関する数値）
ν２３（第３レンズＬ63のｄ線に対するアッベ数）＝30.2
｜ν２４／ν２３｜＝1.7
【０１２９】
（条件式（４）に関する数値）
Ｆ１（第１レンズＬ61と第２レンズＬ62と第３レンズＬ63との合成焦点距離）＝-6.41
ｆ１４（第４レンズＬ64の焦点距離）＝3.96
｜Ｆ１／ｆ１４｜＝1.6
【０１３０】
（条件式（５）に関する数値）
ｆ１１（第１レンズＬ61の焦点距離）＝-11.51
ｆ１２（第２レンズＬ62の焦点距離）＝-4.61
｜ｆ１１／ｆ１２｜＝2.5
【０１３１】
（条件式（６）に関する数値）
｜ｆ１１／Ｆ２｜＝1.5
【０１３２】
図１２は、実施例６にかかる結像光学系の諸収差図である。図中、ＦはＦ線（λ＝４８６．１３ｎｍ）、ｅはｅ線（λ＝５４６．０７ｎｍ）、ＣはＣ線（λ＝６５６．２７ｎｍ）に相当する波長の収差を表す。そして、非点収差図におけるＳ、Ｍは、それぞれサジタル像面、メリディオナル像面に対する収差を表す。
【０１３３】
なお、上記各実施例中の数値データにおいて、ｒ1，ｒ2，・・・・は各レンズ、絞り面等の曲率半径、ｄ1，ｄ2，・・・・は各レンズ、絞り等の肉厚またはそれらの面間隔、ｎｄ1，ｎｄ2，・・・・は各レンズ等のｄ線（λ＝５８７．５６ｎｍ）に対する屈折率、νｄ1，νｄ2，・・・・は各レンズ等のｄ線（λ＝５８７．５６ｎｍ）に対するアッベ数を示している。そして、長さの単位はすべて「ｍｍ」、角度の単位はすべて「°」である。
【０１３４】
また、上記各実施例において、光軸面頂からの非球面形状サグ量（像面の方向を正とする）Ｘは、光軸からレンズ外径方向への距離をＨ、近軸曲率半径をＲ、円錐係数をε、２次，４次，６次，８次，１０次の非球面係数をそれぞれＡ，Ｂ，Ｃ，Ｄ，Ｅとするとき、以下に示す式により表される。
【０１３５】
【数１】
2015190999.tif 000003
【０１３６】
以上説明したように、上記各実施例の結像光学系は、上記各条件式を満足することにより、小型、広角で、高解像度を有する光学系になる。
【０１３７】
加えて、上記各実施例の結像光学系は、環境温度の変化に最も影響される最物体側の第１レンズと、環境温度の変化によるフォーカスずれに最も影響を及ぼすおそれのある第４レンズがガラスで形成されていることから、低温から高温までの幅広い温度領域において高い解像度を維持できる。したがって、夏季高温になりがちな車内に備えられる車載用カメラや環境温度の変化が著しい屋外に設置される監視用カメラ等にも問題なく用いることができる。
【０１３８】
また、上記各実施例の結像光学系は、環境温度の変化による影響を受けにくい第２レンズ、第３レンズ、第５レンズ、および第６レンズをプラスチックで形成することにより、光学系の製造コストを抑えるとともに、光学系の軽量化が可能になる。なお、上記各実施例の結像光学系は、適宜非球面が形成されたレンズを配置することで、少ないレンズ枚数でより収差補正能力を向上させることができる。
【産業上の利用可能性】
【０１３９】
以上のように、本発明にかかる結像光学系は、低温から高温までの幅広い温度領域において高い解像度が要求される撮像装置に有用であり、特に、高画素の固体撮影素子が搭載された、小型の車載用カメラや監視用カメラに適している。
【符号の説明】
【０１４０】
Ｌ11，Ｌ21，Ｌ31，Ｌ41，Ｌ51，Ｌ61  第１レンズ
Ｌ12，Ｌ22，Ｌ32，Ｌ42，Ｌ52，Ｌ62  第２レンズ
Ｌ13，Ｌ23，Ｌ33，Ｌ43，Ｌ53，Ｌ63  第３レンズ
Ｌ14，Ｌ24，Ｌ34，Ｌ44，Ｌ54，Ｌ64  第４レンズ
Ｌ15，Ｌ25，Ｌ35，Ｌ45，Ｌ55，Ｌ65  第５レンズ
Ｌ16，Ｌ26，Ｌ36，Ｌ46，Ｌ56，Ｌ66  第６レンズ
Ｓ  開口絞り
Ｆ  フィルタ類
ＣＧ  カバーガラス
ＩＭＧ  結像面
【図１】
2015190999.tif 000004
【図２】
2015190999.tif 000005
【図３】
2015190999.tif 000006
【図４】
2015190999.tif 000007
【図５】
2015190999.tif 000008
【図６】
2015190999.tif 000009
【図７】
2015190999.tif 000010
【図８】
2015190999.tif 000011
【図９】
2015190999.tif 000012
【図１０】
2015190999.tif 000013
【図１１】
2015190999.tif 000014
【図１２】
2015190999.tif 000015